(57)【特許請求の範囲】
【請求項１】
熱線を検知する熱線センサをそれぞれ備えた親器と子器とが信号線を介して接続され、親器は、負荷への給電路に挿入されるスイッチ要素と、各熱線センサの出力に基づいて人体の存否に対応するようにスイッチ要素をオン・オフさせる信号処理回路とを備え、子器が天井に取り付けられる一方で親器が壁取付型であって、親器のケースは、ＪＩＳ規格で規格化されている大角形連用配線器具の取付枠に取り付けることができる取付部を備えるとともに、大角形連用配線器具の３個モジュールの寸法に形成されてなり、親器は、周囲照度を検出する照度センサを備え、信号処理回路は、照度センサにより検出した周囲照度が所定量を越えると熱線を検知してもスイッチ要素をオフに保つようにし、親器には、所定量を調整するとともに照度センサによる検出照度とは無関係に熱線センサの出力に基づいて負荷を自動制御させるための点検モードを選択できる動作照度調整スイッチ、熱線センサにより熱線が検知されなくなってからスイッチ要素をオフにするまでの一定時間を調整するための可変抵抗器、熱線センサの出力に基づいて負荷を制御する自動モード、負荷を強制的にオンにするオンモード、負荷を強制的にオフにするオフモードとのいずれかを選択するモード切替スイッチが設けられ、動作照度調整スイッチ、可変抵抗器、モード切替スイッチそれぞれの操作部が親器のケースの前面の凹所の底面に形成された３つの露出孔それぞれを通してケースの前面に露出し、動作照度調整スイッチの操作部および可変抵抗器の操作部および凹所は、当該凹所の溝部の両側において係止される突出部が両側部に突設されケースの前面に開閉自在に取り付けられる蓋であってケースの前面に対して略直角になるように開いた状態でケースの内側に押し込むことができる蓋によって覆われ、モード切替スイッチの操作部は蓋の切欠部からケースの前面に露出していることを特徴とする熱線感知式自動スイッチ。
【発明の詳細な説明】
【０００１】
【発明の属する技術分野】
本発明は、人体等から放射される熱線を検知することによって負荷を自動的にオン・オフする熱線感知式自動スイッチに関するものである。
【０００２】
【従来の技術】
従来より、焦電素子等よりなる熱線センサを用いて室内の人の出入り等を検出し、人が室内にいる間だけ照明負荷を点灯させるというような目的で用いられる熱線感知式負荷制御システムが提供されている。この種のシステムでは、熱線センサと、熱線センサの出力に基づいて人体の存否に対応するようにオン・オフされるスイッチ要素と、スイッチ要素への制御信号を発生する信号処理回路とをケースに内蔵した熱線感知式自動スイッチを天井に取り付け、スイッチ要素を照明負荷への給電路に挿入しておくことによって、照明負荷の点灯・消灯を制御するのが一般的である。
【０００３】
【発明が解決しようとする課題】
ところで、この種の熱線感知式自動スイッチでは、人を検知することのできる検知領域に制限があるので、広い部屋等で使用する場合は、熱線センサをそれぞれ備えた親器と子器とを天井に取り付け、照明負荷への給電路に挿入されるスイッチ要素を挿入し、親器と子器とを信号線を介して接続して熱線感知式自動スイッチを構成している。
【０００４】
しかしながら、これらの親器及び子器は、天井取付用のものしかなく、上述の検知領域の制限から、階段、吹き抜け等の場所に設置できない場合があり、設置場所の条件によっては使用することができないという問題があった。また、親器にはスイッチ要素をオンさせる時間を設定する操作部が設けられているが、天井に取り付けられているため、この時間の変更等を行うのが不便であり、手元で時間を設定できるようにするためには別途操作スイッチを壁等に取り付ける必要があり施工に手間がかかるという問題があった。
【０００５】
本発明は上記事由に鑑みて為されたものであり、その目的は、設置場所の自由度が高い熱線感知式自動スイッチを提供することにある。
【０００６】
【課題を解決するための手段】
請求項１の発明は、上記目的を達成するために、熱線を検知する熱線センサをそれぞれ備えた親器と子器とが信号線を介して接続され、親器は、負荷への給電路に挿入されるスイッチ要素と、各熱線センサの出力に基づいて人体の存否に対応するようにスイッチ要素をオン・オフさせる信号処理回路とを備え、子器が天井に取り付けられる一方で親器が壁取付型であって、親器のケースは、ＪＩＳ規格で規格化されている大角形連用配線器具の取付枠に取り付けることができる取付部を備えるとともに、大角形連用配線器具の３個モジュールの寸法に形成されてなり、親器は、周囲照度を検出する照度センサを備え、信号処理回路は、照度センサにより検出した周囲照度が所定量を越えると熱線を検知してもスイッチ要素をオフに保つようにし、親器には、所定量を調整するとともに照度センサによる検出照度とは無関係に熱線センサの出力に基づいて負荷を自動制御させるための点検モードを選択できる動作照度調整スイッチ、熱線センサにより熱線が検知されなくなってからスイッチ要素をオフにするまでの一定時間を調整するための可変抵抗器、熱線センサの出力に基づいて負荷を制御する自動モード、負荷を強制的にオンにするオンモード、負荷を強制的にオフにするオフモードとのいずれかを選択するモード切替スイッチが設けられ、動作照度調整スイッチ、可変抵抗器、モード切替スイッチそれぞれの操作部が親器のケースの前面の凹所の底面に形成された３つの露出孔それぞれを通してケースの前面に露出し、動作照度調整スイッチの操作部および可変抵抗器の操作部および凹所は、当該凹所の溝部の両側において係止される突出部が両側部に突設されケースの前面に開閉自在に取り付けられる蓋であってケースの前面に対して略直角になるように開いた状態でケースの内側に押し込むことができる蓋によって覆われ、モード切替スイッチの操作部は蓋の切欠部からケースの前面に露出していることを特徴とするものであり、親器及び子器の両方が天井に取り付けられる従来の熱線感知式自動スイッチに比べて設置場所の自由度が高くなる。
【０００７】
また、親器には、熱線センサの出力に基づいて負荷を制御する自動モード、負荷を強制的にオンにするオンモード、負荷を強制的にオフにするオフモードとのいずれかを選択するモード切替スイッチが設けられているので、壁に取り付けた親器によってモード切替スイッチの操作を行うことができるから、親器が天井に取り付けられる場合に比べてモード切替スイッチの操作が容易になる。
【０００８】
また、親器が周囲照度を検出する照度センサを備え、信号処理回路が、照度センサにより検出した周囲照度が所定量を越えると熱線を検知してもスイッチ要素をオフに保つので、負荷を照明負荷としている場合において、周囲が明るく照明負荷の点灯が不要であるときには熱線センサの検知結果にかかわらず照明負荷を消灯させておくことが可能になり、無駄な電力消費を抑制できる。
また、動作照度調整スイッチ、可変抵抗器、モード切替スイッチそれぞれの操作部が親器のケースの前面の凹所の底面に形成された３つの露出孔それぞれを通してケースの前面に露出し、動作照度調整スイッチの操作部および可変抵抗器の操作部および凹所は、当該凹所の溝部の両側において係止される突出部が両側部に突設されケースの前面に開閉自在に取り付けられる蓋であってケースの前面に対して略直角になるように開いた状態でケースの内側に押し込むことができる蓋によって覆われ、モード切替スイッチの操作部は蓋の切欠部からケースの前面に露出しているので、動作照度調整スイッチの操作部および可変抵抗器の操作部が不用意に操作されることがなく、モード切替スイッチの操作部は蓋を開けなくても操作できる。
【０００９】
また、子器が天井に取り付けられるので、さらに室内での親器及び子器の設置場所の自由度が高くなり、検知領域の設定が容易になる。
【００１０】
また、親器のケースが、ＪＩＳ規格で規格化されている大角形連用配線器具の取付枠に取り付けることができる取付部を備えるとともに、大角形連用配線器具の３個モジュールの寸法に形成されているので、コンセントやスイッチ等の配線器具と同じ施工法で施工することができ、施工業者にとって施工作業が容易になる。
【００１１】
【発明の実施の形態】
本実施形態の熱線感知式自動スイッチは、基本的には以下に詳述する親器Ａと子器Ｂとを２線式の信号線Ｓにより接続し（図１８参照）、親器Ａ及び子器Ｂに設けた熱線センサによって人体等から発生する熱線を検知することによって、照明負荷等の負荷Ｌをオンオフさせるようになっている。
【００１２】
図１乃至図５に示すように、親器Ａのケース１は、合成樹脂成形品よりなり、ボディ１０とカバー２０とを結合して形成される。ケース１は、ＪＩＳ規格で規格化されている大角形連用配線器具の取付枠６０に取り付けることができる大角形連用配線器具の３個モジュールの寸法に形成されている。
ケース１には、前記取付枠６０への取付部として、金属製取付枠の保持爪が係合する取付孔２１と、合成樹脂製取付枠の保持孔に係合する取付爪２２とが、それぞれカバー２０の両側面に形成されている。したがって、前記取付枠６０に１個だけケース１を取り付けることができるのである。カバー２０の背面には、先端部に結合爪２３ａを備えた結合脚２３が３箇所で突設され、各結合脚２３がボディ１０の周部に穿孔された結合孔１１に挿入されて結合爪２３ａが結合孔１１の周縁に係止されることによって、ボディ１０にカバー２０が結合されるのである。
【００１３】
ボディ１０内には、回路部収納室１２と端子収納室１３とが形成されている。また、ボディ１０の底面には先端面が弧状となった支持リブ１４が突設されている。回路部収納室１２には、後述の定電圧回路４５や可変抵抗器ＶＲ等を実装した第１の回路基板４１が納装される。第１の回路基板４１の表面には絶縁シート４９が積層される。端子収納室１３には、速結端子よりなる端子５０が納装される。端子５０は、鎖錠ばね５１と端子板５２と解除釦５３とからなり、ボディ１０の底面に穿孔された電線挿通孔１５（図３参照）より挿入された電線を、鎖錠ばね５１のばね力により鎖錠ばね５１と端子板５２との間に挟持することによって保持する。また、ボディ１０の底面に穿孔された釦操作孔１６（図３及び図４参照）よりドライバ等の治具を挿入して解除釦５３を操作することによって、鎖錠ばね５１を撓ませて鎖錠ばね５１を端子板５２から離し、電線が容易に抜けるようにする。端子板５２は、第１の回路基板４１に対して半田付けされている。
【００１４】
回動枠３０は、円板状に形成された一対の端板３１を一対の側枠３２で連結した枠状に形成されている。回動枠３０の一方の端板３１は、カバー２０の前面に突設された半円状の保持板２４の周壁の内周面と、支持リブ１４の先端面との間で、支持リブ１４の先端面に摺接して回動自在となるように保持される。他方の端板３１は、カバー２０の両側壁の内周面間に軸着された支持棒７７により支持される。回動枠３０の一部には方向調節つまみ３０ａが突設され、方向調節つまみ３０ａを手で操作することにより、回動枠３０を回動させることができるようにしているのである。回動枠３０において側枠３２の後方には第２の回路基板４３が取着され、第２の回路基板４３は回動枠３０と一体に回動するようになっている。
【００１５】
第２の回路基板４３の前面には、焦電素子よりなる熱線センサ２、熱線センサ２の出力信号に基づいて人の存否を判定する集積回路よりなる信号処理回路３（図６参照）、熱線センサ２により人体が検知された時に点灯する検知表示用素子たる発光ダイオードＬＥＤ、ＣｄＳ等よりなる受光素子ＰＤ等が実装されている。ここで、受光素子ＰＤが、周囲の照度を検出する照度センサを構成している。
【００１６】
また、回動枠３０において側枠３２よりも前面側にはフレネルレンズよりなるレンズ３３が端板３１の周面に沿うように湾曲した形で装着されている。レンズ３３は、熱線が透過しやすく更に発光ダイオードＬＥＤが点灯しているか否かを外部から確認できるように透光性を有する高密度ポリエチレン等の材料によって形成されており、複数の焦点を有していて熱線センサ２の検知領域を複数の領域に分割するようになっている。すなわち、熱線センサ２である焦電素子は微分型センサであって、入射する熱線量に変化が生じた時にしか出力信号が得られないから、熱線センサ２の検知領域を複数の小さな領域に分割することにより、人のわずかな動きを検出して出力を連続的に得るようにしているのである。ここで、レンズ３３は薄肉であるから、レンズ３３の前面にはレンズ３３を覆う保護カバー３４が装着される。
【００１７】
保護カバー３４は、赤外線が透過すればよいから通常は着色されており、回動枠３０の内部を見えないようにする目隠しの機能も有している。ここに、保護カバー３４は、レンズ３３と同様に赤外線が透過しやすく更に発光ダイオードＬＥＤ1 が点灯しているか否かを外部から確認できるように透光性を有する高密度ポリエチレン等の材料で形成される。したがって、熱線センサ２が人体を検知すると、発光ダイオードＬＥＤが点灯し、発光ダイオードＬＥＤが点灯していることを外部から確認することができるので、施工業者等にとって熱線センサ２が人体を検知しているかどうかをチェックする作業がしやすくなっている。ところで、回動枠３０、第２の回路基板４３、熱線センサ２、信号処理回路３、発光ダイオードＬＥＤ、受光素子ＰＤ、レンズ３３、保護カバー３４等でセンサユニットＦ（図５（ａ）参照）を構成おり、センサユニットＦはケース１の前面に取り付られる。なお、第２の回路基板４３の回路と第１の回路基板４１の各回路とはジャンパー線４４などによって接続される。
【００１８】
回路基板４１，４２に実装された回路部は、図６のような構成を有する。外部回路に接続される端子５０は６個であって、そのうちの２個の端子５０（Ｔ2 ）は照明等の負荷Ｌに接続される。また、他の２個の端子５０（Ｔ1 ）は商用電源ＡＣに接続され、残りの２個の端子５０（Ｔ3 ）は子器Ｂへの２線式の信号線Ｓ（図１８参照）に接続される。ところで、第１の回路基板４１に実装されたモード切替スイッチＳＷは、熱線センサ２の出力信号に基づいて負荷Ｌを自動制御する自動モードと、熱線センサ２の出力信号とは無関係に負荷Ｌを常時オンにするオンモード（連続入モード）と、熱線センサ２の出力信号とは無関係に負荷Ｌを常時オフにするオフモード（切モード）とが選択できる３接点のスイッチである。
【００１９】
商用電源ＡＣは、定電圧回路４５で整流平滑化されて安定化される。定電圧回路４５の出力である直流電源は、熱線センサ２が接続された信号処理回路３に給電される。信号処理回路３は、集積回路に周辺部品を外付けして構成され、熱線センサ２により人体から放射される熱線が検知されると出力端子ＯＵＴの出力レベルを一定時間だけハイレベルにするように構成されており、上述のように人のわずかな動きを検出して出力を連続的に得るようにしているので、熱線センサ２により人体から放射される熱線が検知されなくなると、出力端子ＯＵＴの出力レベルが一定時間後にローレベルになるのである。この一定時間は、第１の回路基板４１に実装された可変抵抗器ＶＲを調整することにより変更できるようになっている。また、信号処理回路３には、上述の受光素子ＰＤが接続されており、受光素子ＰＤにより検出される受光光量が所定量を超えると、信号処理回路３の動作が停止するようになっている（熱線センサ２により人体から放射される熱線が検知されても出力端子ＯＵＴの出力レベルはハイレベルにならない）。この所定量は、第１の回路基板４１に実装された動作照度調整スイッチ７２により調整できるようになっている。動作照度調整スイッチ７２は、例えば、所定量が例えば４０（ｌｘ）の暗モードと、所定量が例えば１００（ｌｘ）の明モードと、受光素子ＰＤの受光光量とは無関係に熱線センサ２の出力信号に基づいて負荷Ｌを自動制御させるための点検モードとが選択できるスイッチである。したがって負荷Ｌを照明負荷としている場合において、周囲が明るく照明負荷の点灯が不要であるときには熱線センサ２の検知結果にかかわらず照明負荷を消灯させておくことが可能になり、無駄な電力消費を抑制できるのである。信号処理回路３の出力端子ＯＵＴは、モード切替スイッチＳＷを介して制御回路９１に接続されるようになっている。ここに、制御回路９１はスイッチ要素たる開閉素子９３をオンオフ制御するものである。
【００２０】
モード切替スイッチＳＷにより自動モードが選択されている場合、信号処理回路３の出力端子ＯＵＴは、制御回路９１に接続されている。したがって、自動モードのときには、熱線センサ２により人体から放射される熱線が検出されると、開閉素子９３がオンになり、商用電源ＡＣが開閉素子９３を介して負荷Ｌに接続され、負荷Ｌがオンになるのである。その後、熱線センサ２による熱線の検出が無くなると、一定時間後に開閉素子９３がオフになり、負荷Ｌがオフになるのである。これに対し、モード切替スイッチＳＷによりオンモードが選択されているときには、開閉素子９３が常にオンになっているので、商用電源ＡＣが開閉素子９３を介して負荷Ｌに接続されており、負荷Ｌがオン状態を維持する。また、モード切替スイッチＳＷによりオフモードが選択されると、開閉素子９３がオフになるので、商用電源ＡＣが負荷Ｌから切り離され、負荷Ｌがオフになるのである。なお、開閉素子９３としては例えばリレーの接点やフォトカプラ等を用いればよい。
【００２１】
ところで、可変抵抗器ＶＲの操作部７１、動作照度調整スイッチ７２の操作部７３、及びモード切替スイッチＳＷの操作部４８は、回動枠３０よりも下方でカバー２０の凹所８０の底面に形成された露出孔８２、８３、８１を通してカバー２０の前面に露出する。ここで、可変抵抗器ＶＲの操作部７１及び動作照度調整スイッチ７２の操作部７３及び凹所８０は、カバー２０の前面に開閉自在に取り付けられる蓋６によって覆われ、モード切替スイッチＳＷの操作部４８は、蓋６の切欠部６ｄからケース１の前面に露出している。したがって、可変抵抗器ＶＲの操作部７１及び動作照度調整スイッチ７２の操作部７３は不用意に操作されることがなく、モード切替スイッチＳＷの操作部４８は蓋６を開けなくても操作できるようになっている。なお、蓋６は、合成樹脂等により形成されていて一端側の両側部に突設された突出部６ｃが凹所８０の溝部８５の両側において係止されており、蓋６をカバー２０の前面に対して略直角になるように開いた状態で溝部８５からカバー２０の内側に蓋６を押し込むことができるようになっている。
【００２２】
ところで、壁面等への施工時には、ケース１は、上述の取付枠６０に取着される。例えば、金属製の取付枠６０は、図７及び図９に示すように、一対の側片６１ａ，６１ｂの両端をそれぞれ取付片６２により連結した枠状に形成されており、各側片６１ａ，６１ｂには、ケース１の側面に形成された取付孔２１に挿入される保持爪（図示せず）が突設され、一方の側片６１ａにおける保持爪に対応する部位には切欠孔６３が穿孔され、切欠孔６３にドライバ等の治具を挿入してこじることで、保持爪が取付孔２１内に挿入されるように側枠６１ａの一部を塑性変形させることができるようになっている。各取付片６２には、取付枠６０をスイッチボックス等の埋込ボックスに取り付けることができるように、ボックスねじを挿入する長孔６４が穿孔され、また、取付枠６０の前面を覆う化粧プレートが取り付けられるように、プレートねじが螺合するねじ孔６５が形成されている。さらに、取付枠６０との間で壁パネル等を挟持する周知のはさみ金具が取り付けられるように、金具取付孔６６が穿設されている。
【００２３】
ところで、親器Ａには、後述する子器Ｂに設けた熱線センサ２（図１０参照）での熱線の検知の有無を信号処理回路３に入力するための子器入力部９０、比較部９２が設けられている。親器Ａは、端子５０（Ｔ3 ）に信号線Ｓにより接続された子器Ｂに、定電圧回路４５を電源として電流制限回路８９及び子器入力部９０を介して給電し、子器Ｂは自身の熱線センサ２によって熱線を検知したときに信号線Ｓの線間電圧を変化させるように構成されている。子器Ｂの基本的な構成としては、図１５に示すように、例えば信号線Ｓが接続される端子５０（Ｔ4 ）と、端子５０（Ｔ4 ）に交流側端が接続されるブリッジ整流回路と、ブリッジ整流回路の直流側端の間に接続されたツェナーダイオードとスイッチ素子との直列回路とからなる送受信回路１００を備え、送受信回路１００に接続された熱線センサ２の出力に基づいて前記スイッチ素子をオンオフするようになっている。要するに、子器Ｂでの熱線の検知の有無に対応して、信号線Ｓの線間電圧が２段階に変化するものであって、この電圧変化による２値信号が親器Ａに伝送されるのである。
【００２４】
子器入力部９０では、端子５０（Ｔ3 ）に接続される信号線Ｓの線間電圧を検出し、比較部９２においてこの検出電圧と基準電圧と比較し、基準電圧との大小関係によって子器Ｂでの熱線の検知の有無を判定する。この判定結果は信号処理回路３に入力され、信号処理回路３は、親器Ａの熱線センサ２による検知の場合と同様に出力端子ＯＵＴの出力レベルを変化させる。したがって、子器Ｂの熱線センサ２で熱線が検知された時にも負荷Ｌがオンされるのである。
【００２５】
次に、子器Ｂの外観形状について説明する。
子器Ｂとしては、図１０乃至図１４に示すように、外観形状が親器Ａと略同じものがあり、子器Ｂのケース１’はボディ１０’とカバー２０’とを結合して形成される。ここで、子器Ｂのケース１’は親器Ａのケース１と同じ寸法に形成されており、子器Ｂも親器Ａと同様にして壁面等へ施工することができ、壁面等への施工時には、上述の取付枠６０に取着される（図１６及び図１７参照）。
【００２６】
子器Ｂでは、ボディ１０’内に形成されている端子収納室１３は２つであって、外部回路に接続される端子５０は４個であって、そのうちの２個の端子５０（Ｔ4 ）が上述のように２線式の信号線Ｓに接続される。なお、親器Ａではボディ１０の底面に支持リブ１４が１つしか突設されていないが、子器Ｂのボディ１０’の底面には支持リブ１４が一対突設されている。これは、子器Ｂの回路部（図１５参照）は親器Ａの回路部（図６参照）よりも構成が簡単になって、回路基板４１’の実装密度の方が親器Ａの第１の回路基板４１に比べて低くなるので、回路基板４１’に、一方の支持リブ１４の先端部を露出させる切欠部４１ａ’を設けることができるからである。このため、子器Ｂでは、回動枠３０の各端板３１は、カバー２０’の前面に突設された半円状の保持板２４の周壁の内周面と支持リブ１４の先端面との間で、支持リブ１４の先端面に摺接して回動自在となるように保持される。なお、親器Ａ及び子器Ｂの少なくとも一方に受光素子ＰＤを設けたことによって、親器Ａ，子器Ｂ両方の設置場所ごとに周囲照度に応じて照明負荷Ｌの自動点滅制御を行うことができ、使用条件に応じてきめ細かく最適な条件選択が行える。
【００２７】
子器Ｂの外観に関する他の構成は、親器Ａと同様であって、親器Ａにおける同じ機能を有する部材には同じ符号を付している。
上述の構成によって、親器Ａ，子器Ｂはそれぞれ壁面に取り付けられ、親器Ａと子器Ｂとは２線式の信号線Ｓによって接続されることになる。したがって、例えば、図１８に示すように階段の上方の天井に照明負荷Ｌを設け、階下の壁に親器Ａを設置し、階上の壁に子器Ｂを設置することが可能となり、親器及び子器の両方が天井に取り付けられる従来の熱線感知式自動スイッチに比べて設置場所の自由度が高くなるのである。しかも、壁に取り付けた親器Ａにおいて、可変抵抗器ＶＲの操作部７１、動作照度調整スイッチ７２の操作部７３、及びモード切替スイッチＳＷの操作部４８の操作を行うことができるから、親器が天井に取り付けられる場合に比べて各種設定や設定の変更が容易になる。なお、図１８中のＤは電源線、Ｅは負荷接続線である。
【００２８】
本実施形態では、子器Ｂを天井に取り付けられる構造にすれば、図１９に示すように階段の上方の天井に照明負荷Ｌを設け、階下の壁に親器Ａを設置し、階上の天井に子器Ｂを設置することが可能となる。
子器Ｂの防水性を高め図２０に示すように屋外に取り付けられるようにし、親器Ａに屋内の照明負荷Ｌと屋外の照明負荷Ｌ’とを接続すれば、人が出入りする前に、進む方向の照明負荷も点灯させることができる。なお、子器Ｂが屋外の壁に取り付けることができない場合には、図２１に示すように子器Ｂを軒下に取り付けが可能な構造にすればよい。
【００２９】
なお、上述の壁面への取り付けが可能な子器Ｂを利用すれば、図２２に示すように、従来の天井取り付け型の親器Ａ’に子器Ｂを接続できる。また、親器Ａに、従来の天井取り付け型の子器も接続できる。
【００３０】
【発明の効果】
請求項１の発明は、熱線を検知する熱線センサをそれぞれ備えた親器と子器とが信号線を介して接続され、親器は、負荷への給電路に挿入されるスイッチ要素と、各熱線センサの出力に基づいて人体の存否に対応するようにスイッチ要素をオン・オフさせる信号処理回路とを備え、子器が天井に取り付けられる一方で親器が壁取付型であって、親器のケースは、ＪＩＳ規格で規格化されている大角形連用配線器具の取付枠に取り付けることができる取付部を備えるとともに、大角形連用配線器具の３個モジュールの寸法に形成されてなり、親器は、周囲照度を検出する照度センサを備え、信号処理回路は、照度センサにより検出した周囲照度が所定量を越えると熱線を検知してもスイッチ要素をオフに保つようにし、親器には、所定量を調整するとともに照度センサによる検出照度とは無関係に熱線センサの出力に基づいて負荷を自動制御させるための点検モードを選択できる動作照度調整スイッチ、熱線センサにより熱線が検知されなくなってからスイッチ要素をオフにするまでの一定時間を調整するための可変抵抗器、熱線センサの出力に基づいて負荷を制御する自動モード、負荷を強制的にオンにするオンモード、負荷を強制的にオフにするオフモードとのいずれかを選択するモード切替スイッチが設けられ、動作照度調整スイッチ、可変抵抗器、モード切替スイッチそれぞれの操作部が親器のケースの前面の凹所の底面に形成された３つの露出孔それぞれを通してケースの前面に露出し、動作照度調整スイッチの操作部および可変抵抗器の操作部および凹所は、当該凹所の溝部の両側において係止される突出部が両側部に突設されケースの前面に開閉自在に取り付けられる蓋であってケースの前面に対して略直角になるように開いた状態でケースの内側に押し込むことができる蓋によって覆われ、モード切替スイッチの操作部は蓋の切欠部からケースの前面に露出していることを特徴とし、親器が壁に取付可能なので、親器及び子器の両方が天井に取り付けられる従来の熱線感知式自動スイッチに比べて設置場所の自由度が高くなるという効果がある。
【００３１】
また、親器には、熱線センサの出力に基づいて負荷を制御する自動モード、負荷を強制的にオンにするオンモード、負荷を強制的にオフにするオフモードとのいずれかを選択するモード切替スイッチが設けられているので、壁に取り付けた親器によってモード切替スイッチの操作を行うことができるから、親器が天井に取り付けられる場合に比べてモード切替スイッチの操作が容易になるという効果がある。
【００３２】
また、親器が周囲照度を検出する照度センサを備え、信号処理回路が、照度センサにより検出した周囲照度が所定量を越えると熱線を検知してもスイッチ要素をオフに保つので、負荷を照明負荷としている場合において、周囲が明るく照明負荷の点灯が不要であるときには熱線センサの検知結果にかかわらず照明負荷を消灯させておくことが可能になり、無駄な電力消費を抑制できるという効果がある。
また、動作照度調整スイッチ、可変抵抗器、モード切替スイッチそれぞれの操作部が親器のケースの前面の凹所の底面に形成された３つの露出孔それぞれを通してケースの前面に露出し、動作照度調整スイッチの操作部および可変抵抗器の操作部および凹所は、当該凹所の溝部の両側において係止される突出部が両側部に突設されケースの前面に開閉自在に取り付けられる蓋であってケースの前面に対して略直角になるように開いた状態でケースの内側に押し込むことができる蓋によって覆われ、モード切替スイッチの操作部は蓋の切欠部からケースの前面に露出しているので、動作照度調整スイッチの操作部および可変抵抗器の操作部が不用意に操作されることがなく、モード切替スイッチの操作部は蓋を開けなくても操作できるという効果がある。
【００３３】
また、子器が天井に取り付けられるので、さらに室内での親器及び子器の設置場所の自由度が高くなり、検知領域の設定が容易になるという効果がある。
【００３４】
また、親器のケースが、ＪＩＳ規格で規格化されている大角形連用配線器具の取付枠に取り付けることができる取付部を備えるとともに、大角形連用配線器具の３個モジュールの寸法に形成されているので、コンセントやスイッチ等の配線器具と同じ施工法で施工することができ、施工業者にとって施工作業が容易になるという効果がある。
【図面の簡単な説明】
【図１】  実施形態に用いる親器の分解斜視図である。
【図２】  同上の親器の縦断面図である。
【図３】  同上の親器の背面図である。
【図４】  同上の親器の断面図である。
【図５】  同上を示し、（ａ）は親器のセンサユニットの縦断面図、（ｂ）はカバーを外した正面図である。
【図６】  同上に用いる親器の回路部の概略構成図である。
【図７】  同上の親器を取付枠に取着した時の正面図である。
【図８】  同上の親器の蓋を開いた状態の要部拡大図である。
【図９】  同上の親器を取付枠に取着した時の側面図である。
【図１０】  同上に用いることができる子器の分解斜視図である。
【図１１】  同上に用いることができる子器の縦断面図である。
【図１２】  同上に用いることができる子器の背面図である。
【図１３】  同上に用いることができる子器の断面図である。
【図１４】  同上に用いることができる子器を示し、（ａ）はセンサユニットの縦断面図、（ｂ）はカバーを外した正面図である。
【図１５】  同上に用いる子器の回路部の概略構成図である。
【図１６】  同上に用いることができる子器を取付枠に取着した時の正面図である。
【図１７】  同上に用いることができる子器を取付枠に取着した時の側面図である。
【図１８】  親器及び子器の設置状態の説明図である。
【図１９】  親器及び子器の他の設置状態の説明図である。
【図２０】  親器及び子器のさらに他の設置状態の説明図である。
【図２１】  親器及び子器の別の設置状態の説明図である。
【図２２】  親器及び子器のさらに別の設置状態の説明図である。
【符号の説明】
１  ケース
２  熱線センサ
６０  取付枠
Ａ  親器
【図１】
0003860633.tif 000002
【図２】
0003860633.tif 000003
【図３】
0003860633.tif 000004
【図４】
0003860633.tif 000005
【図５】
0003860633.tif 000006
【図６】
0003860633.tif 000007
【図７】
0003860633.tif 000008
【図８】
0003860633.tif 000009
【図９】
0003860633.tif 000010
【図１０】
0003860633.tif 000011
【図１１】
0003860633.tif 000012
【図１２】
0003860633.tif 000013
【図１３】
0003860633.tif 000014
【図１４】
0003860633.tif 000015
【図１５】
0003860633.tif 000016
【図１６】
0003860633.tif 000017
【図１７】
0003860633.tif 000018
【図１８】
0003860633.tif 000019
【図１９】
0003860633.tif 000020
【図２０】
0003860633.tif 000021
【図２１】
0003860633.tif 000022
【図２２】
0003860633.tif 000023